(57)【要約】【課題】上下のトレーを分離してコンパクトに包装でき、店頭で迅速・確実に組み立てられる紙製陳列具を提供する。【解決手段】複数のトレー１を上下に配した紙製陳列具において、これらのトレー１の背面に亘って台紙８を沿わせ、台紙８に形成したビス穴８ｄに、各トレー１の背面に突設したビス７を係合させて、上下のトレー１を台紙８に取り付ける。ビス穴８ｄからビス７を抜いて上下のトレー１を台紙８から分離した状態で、トレー１及び台紙８を折り畳むことにより、コンパクトに梱包して配送でき、店頭では、上下のトレー１を迅速に台紙８の所定の位置に取り付けて、商品を陳列することができる。【選択図】  図３
2004236880.tif 000002
【特許請求の範囲】
【請求項１】
複数のトレーを上下に配した紙製陳列具において、これらのトレーの背面に亘って台紙を沿わせ、この台紙に形成したビス穴に、各トレーの背面に突設したビスを係合させて、上下のトレーを台紙に取り付けるようにしたことを特徴とする紙製陳列具。
【請求項２】
複数のトレーを上下に配した紙製陳列具において、上段側トレーの背面に貼り付けた台紙の下方への延長部と、下段側トレーの背面に貼り付けた台紙の上方への延長部とを、ビスで係合させて連結するようにしたことを特徴とする紙製陳列具。
【請求項３】
複数のトレーを上下に配した紙製陳列具において、上段側トレーの背面を下方へ延長し、その延長部に形成したビス穴に、下段側トレーの背面に突設したビスを係合させて、上下のトレーを連結するようにしたことを特徴とする紙製陳列具。
【発明の詳細な説明】
【０００１】
【発明の属する技術分野】
この発明は、上下のトレーに商品を載せて、店頭で商品を陳列する吊下式の紙製陳列具に関するものである。
【０００２】
【従来の技術】
一般に、店頭で吊り下げて商品を陳列する紙製陳列具として、商品を載せる複数のトレーを台紙の上下に配し、各トレーの背面を台紙に貼り付けたものが使用されている。この陳列具は、予め組み立てた状態で、各段のトレーに商品を収納し、外箱に詰められて、小売店へ配送される。
【０００３】
【発明が解決しようとする課題】
しかしながら、上記のような陳列具では、各段のトレーを精度よく台紙へ貼り付けるのに手間と費用がかかるほか、組み立てた状態で商品を収納して梱包すると、包装体積が大きくなり、輸送費が高くつくという問題がある。
【０００４】
そこで、この発明は、上下のトレーを分離してコンパクトに包装でき、店頭で迅速・確実に組み立てられる紙製陳列具を提供することを課題とする。
【０００５】
【課題を解決するための手段】
上記課題を解決するため、この発明は、複数のトレーを上下に配した紙製陳列具において、これらのトレーの背面に亘って台紙を沿わせ、この台紙に形成したビス穴に、各トレーの背面に突設したビスを係合させて、上下のトレーを台紙に取り付けるようにしたのである。
【０００６】
また、上段側トレーの背面に貼り付けた台紙の下方への延長部と、下段側トレーの背面に貼り付けた台紙の上方への延長部とを、ビスで係合させて連結するようにしたのである。
【０００７】
そのほか、複数のトレーを上下に配した紙製陳列具において、上段側トレーの背面を下方へ延長し、その延長部に形成したビス穴に、下段側トレーの背面に突設したビスを係合させて、上下のトレーを連結するようにしたのである。
【０００８】
上記のように構成すると、ビス穴からビスを抜いて上下のトレーを分離した状態で、コンパクトに梱包して配送でき、店頭で上下のトレーを迅速に連結して商品を陳列することができる。
【０００９】
【発明の実施の形態】
まず、この発明の第１実施形態を図１乃至図５に基づいて説明する。
【００１０】
この陳列具の各段のトレー１は、図１に示すようなブランクから成る。このブランクでは、前面板２の一側に側面板３及び背面板４が、他側に側面板３及び継代５がそれぞれ連設され、前面板２、各側面板３及び背面板４の下縁にはそれぞれ底板６ａ，６ｂ，６ｃが連設されている。
【００１１】
前面板２の上縁には前重板２ａ及び底重板６ｄが順次連設され、後方が高くなるように傾斜した側面板３の上縁には側重板３ａが連設されている。背面板４の上縁には背重板４ａが連設され、背面板４の中間部には３個のビス穴４ｂが形成されている。
【００１２】
上記のようなブランクからトレー１を組み立てるには、図２に示すように、前面板２、側面板３及び背面板４を環状に折り曲げ、継代５を背面板４に貼り付けて周壁を形成し、側重板３ａを側面板３の内面に貼り付け、底板６ａ，６ｂ，６ｃを組み合わせて底面を閉じ、前重板２ａを前面板２の内面に重ね、底重板６ｄを底板６ａ，６ｂ，６ｃの上面に重ねる。
【００１３】
また、プラスチック製のビス７をビス穴４ｂに差し込んで、背重板４ａを背面板４の内面に貼り付け、ビス７の突出部に頭部を取り付ける。そして、このようにして組み立てたトレー１を２個用意する。
【００１４】
一方、上記トレー１を取り付ける台紙８は、吊板８ａの下方に２枚の背当板８ｂを連結片８ｃを介して順次接続したものであり、連結片８ｃには横方向の折目が形成され、各背当板８ｂには、丸穴部の下方に細穴部が連通した３個のビス穴８ｄが、吊板８ａの上部には２個の紐穴８ｅがそれぞれ形成されている。
【００１５】
いま、例えば店頭において、この陳列具を使用する際には、２個のトレー１の背面をそれぞれ台紙８の背当板８ｂに沿わせ、各トレー１の背面から突出したビス７の頭部をビス穴８ｄの丸穴部に挿入し、トレー１を下方へ引き下げて、ビス７の頭部をビス穴８ｄの細穴部まで移動させる。
【００１６】
これにより、図３に示すように、ビス７がビス穴８ｄから抜け止めされて、トレー１が台紙８に取り付けられ、紐穴８ｅに紐９を挿通し、フック１０でこの陳列具を吊り下げた状態で、商品を各トレー１に載せて陳列することができる。
【００１７】
ところで、この陳列具は、ビス穴８ｄからビス７を抜いて上下のトレー１を台紙８から分離した状態で、図４に示すように、トレー１及び台紙８を折り畳むことにより、コンパクトに梱包して配送でき、店頭では、上下のトレー１を迅速に台紙８の所定の位置に取り付けて、商品を陳列することができる。
【００１８】
また、上記のように吊り下げるのではなく、卓上に置いて商品を陳列することもできる。この場合、図５に示すように、上段側トレー１を箱型の支持台１１の上に載せ、下段側トレー１の背面から突出したビス７の頭部を、支持台１１の前面に形成した長穴１１ａに係合させて、上下のトレー１を位置決めする。
【００１９】
次に、この発明の第２実施形態を図６に基づいて説明する。
【００２０】
この陳列具は、上段側トレー１と下段側トレー１とを、それぞれ背面側で別の台紙８に貼り付け、上段側トレー１の台紙８の下方への延長部８ｆと、下段側トレー１の台紙８の上方への延長部８ｇとを、ビス穴８ｈに挿通したビス７で係合させて連結するようにしたものである。
【００２１】
このような構成としても、ビス穴８ｈからビス７を抜いて上下のトレー１の台紙８を分離した状態で、トレー１を折り畳むことにより、コンパクトに梱包して配送でき、店頭では、上下のトレー１を迅速に所定の位置関係で連結して、商品を陳列することができる。
【００２２】
次に、この発明の第３実施形態を図７及び図８に基づいて説明する。
【００２３】
この陳列具の上段側のトレー１は、図７に示すようなブランクから成り、このブランクでは、上段側トレーの背面板４に下方へ長く延びる延長部４ｃが設けられ、その延長部４ｃに３個のビス穴４ｄが形成されている。
【００２４】
また、底重板６ｄの先端には３分割された折曲片６ｅが連設され、底重板６ｄの中間部には差込穴６ｆが、延長部４ｃの上端には差込穴４ｅがそれぞれコ字状の切込により形成されている。さらに、背重板４ａの背面板４への突出部には、２個の紐穴４ｆが形成されている。
【００２５】
このブランクから上段側トレー１を組み立てる際には、図８に示すように、両側の折曲片６ｅを上方へ、中央の折曲片６ｅを下方へそれぞれ折り曲げ、中央の折曲片６ｅを差込穴４ｅに差し込むと共に、底板６ａの中央の突出部を差込穴６ｆに差し込む。
【００２６】
そして、上段側トレー１の背面から下方へ延びる延長部４ｃのビス穴４ｄに、上記各実施形態と同様の下段側トレー１の背面から突出したビス７の頭部を係合させると、上下のトレー１が連結される。
【００２７】
このような構成としても、ビス穴４ｄからビス７を抜いて上下のトレー１を分離した状態で、これらのトレー１を折り畳むことにより、コンパクトに梱包して配送でき、店頭では、上下のトレー１を迅速に所定の位置関係で連結して、商品を陳列することができる。
【００２８】
【発明の効果】
以上のように、この発明に係る紙製陳列具では、ビス穴からビスを抜いて上下のトレーを分離した状態で、コンパクトに梱包して配送でき、店頭で上下のトレーを迅速に連結して商品を陳列することができるので、陳列具の加工や商品の輸送に要するコストを抑制することができる。
【図面の簡単な説明】
【図１】第１実施形態に係るトレーのブランクを示す図
【図２】同上の陳列具の組立過程を示す分解斜視図
【図３】同上の陳列具の組立状態を示す斜視図
【図４】同上の折畳状態を示す分解斜視図
【図５】同上の陳列具の卓上陳列状態を示す斜視図
【図６】第２実施形態に係る陳列具の組立状態を示す斜視図
【図７】第３実施形態に係る上段側トレーのブランクを示す図
【図８】同上の陳列具の組立状態を示す斜視図
【符号の説明】
１  トレー
２  前面板
３  側面板
４  背面板
４ｃ  延長部
４ｄ  ビス穴
６ａ，６ｂ，６ｃ  底板
６ｄ  底重板
７  ビス
８  台紙
８ｂ  背当板
８ｄ，８ｈ  ビス穴
８ｆ，８ｇ  延長部
【図１】
2004236880.tif 000003
【図２】
2004236880.tif 000004
【図３】
2004236880.tif 000005
【図４】
2004236880.tif 000006
【図５】
2004236880.tif 000007
【図６】
2004236880.tif 000008
【図７】
2004236880.tif 000009
【図８】
2004236880.tif 000010